(57)【要約】【課題】ファックス送信をダイレクト送信で開始することにより、接続と送信開始が確認された後に、メモリ送信に切り替えるように動作するファクシミリ装置を提供する。【解決手段】原稿を読み取ってそのまま送信する第１の送信機能と、原稿を読み取って、その画像データを一旦画像データ蓄積手段に記憶してから送信する第２の送信機能とを備えたファクシミリ装置において、複数のページ枚数からなる原稿を送信するときに、最初に原稿を第１の送信機能を使用して送信し、途中で第２の送信機能に切り替える。【選択図】      図４
2004289552.tif 000002
【特許請求の範囲】
【請求項１】
原稿を読み取ってそのまま送信する第１の送信機能と、原稿を読み取って、その画像データを一旦画像データ蓄積手段に記憶してから送信する第２の送信機能とを備えたファクシミリ装置において、
複数のページ枚数からなる原稿を送信するときに、最初に前記原稿を前記第１の送信機能を使用して送信し、途中で前記第２の送信機能に切り替えることを特徴とするファクシミリ装置。
【請求項２】
前記第２の送信機能に切り替えるタイミングは、任意に設定可能なタイミングであることを特徴とする請求項１に記載のファクシミリ装置。
【請求項３】
前記第２の送信機能に切り替えるタイミングは、前記原稿の２枚目のページの送信開始時であることを特徴とする請求項１に記載のファクシミリ装置。
【請求項４】
前記任意に設定可能なタイミングは、送信中の操作者による所定の操作によって決定され、該送信中であって、前記決定より後にページの始めから読み取られる原稿から第２の送信機能に切り替わるものであることを特徴とする請求項２に記載のファクシミリ装置。
【発明の詳細な説明】
【０００１】
【発明の属する技術分野】
本発明は、送信の途中でダイレクト送信からメモリ送信に自動的に切替えて送信を行うファクシミリ装置に関する。
【０００２】
【従来の技術】
従来、ファクシミリ装置では、原稿をスキャナで読み取りながら送信を行うダイレクト送信が主流であったが、メモリ素子の価格の低下やスキャナの高速化によって、最近は、通信作業の効率改善が図れるメモリ送信モードで送信を行うことが主流になっている。メモリ送信とは、原稿の画像をスキャナで一旦画像メモリに読み込み、その後、画像メモリに蓄積された画像の画像データを送信することである。
【０００３】
通常送信速度のほうが原稿の読み取り速度よりも遅いため、ダイレクト送信では、原稿の読み取りと送信がほぼ同じ速度で行われる。従って、たとえ原稿自動送り装置付きの高速のスキャナで原稿を読み取るようにしても、送信の速度が上がらない限り、原稿の読み取り速度を大幅に変えることは困難である。そのため、送信が終了しないと原稿を別の用途に使用できないという欠点がある。反面、送信先の回線が使用中であるため送信が行われない、或いは送信途中で回線に障害が発生して送信が途中までしか行われない場合は、原稿が原稿自動送り装置から給送されなかったり、途中で停止して、未送信の原稿が原稿自動送り装置に残っているため、送信状態の判断が確実に視認できるという長所もある。また、間違って電話回線の端末にダイヤルした場合も、ファックス送信が開始せず原稿が読み取られないので気がつきやすい。
【０００４】
一方、メモリ送信では、原稿読み取り時に送信は行わず、画像メモリに原稿の画像を読み取って蓄積すればよいため、スキャナが提供できる速度に従って原稿自動送り装置で原稿を読み取って行くことができ、画像メモリへ蓄積終了後或いは蓄積しながら送信を行うことができる。そのため、特に多量の原稿を送信するときは、原稿の読み取りが早く終了し、送信終了を待たずにファクシミリ装置から離れて原稿を別の用途に使用することが可能になる。反面、画像メモリ内に蓄積された画像データを送信することになるので、原稿の物理的な動きを視認しながら送信状況を把握することが不可能になり、電話の端末番号に間違ってダイヤルされた場合や、送信先に接続できない或いは送信途中で回線が切断された場合、未送信や未送信部分を即座に把握することが困難である。
【０００５】
そのため、通常のファクシミリ装置では、原稿をダイレクト送信モードで送るか、メモリ送信モードで送るかの選択が操作部上で行えるようになっている。また、送信先に接続できなかった場合は、再接続の試行回数が設定可能になっている場合もある。さらに、設定回数の再接続試行を行っても送信先に接続できない場合や、送信途中に回線障害などで全ての原稿が送信できなかった場合などに、送信エラーメッセージや送信エラーレポートを表示部に表示したり、或いは用紙に印字して出力できるようになっている。また、同時に過去の送信状態の履歴を定期的に印字して送信ジャーナルとして出力できるようにもなっている。
【０００６】
こうしたことから、特許文献１によると、従来の送信エラーレポートでは、送信エラーの詳細な特定が困難な場合もあるので、送信レポートを出力する際に、エラーが発生した送信原稿の最初と最後のページの画像も同時に印字して、送信エラーが発生した原稿と送信先の特定が容易に行える方法を提案している。
【０００７】
さらに、特許文献２によると、メモリ送信時に送信先のダイヤル番号の入力ミスなどによって、電話端末の番号に接続されたときに、エラーの認識が簡単に行えるように、また、メモリ送信の取り消しが容易に行える方法を提案している。
【０００８】
【特許文献１】
特開平９−２４７３２７号公報
【特許文献２】
特開平８−４６７３７号公報
【０００９】
【発明が解決しようとする課題】
しかし、メモリ送信を行った場合、従来のファクシミリによるエラーレポートや特許文献１が開示しているエラーレポートは、エラーが発生してから出力されるまでに時間がかかり、また、回線に接続できない場合は、設定されている試行回数の範囲で再接続や再発呼を繰り返すので、エラーレポートが実際に出力されるまでには相当な時間が必要になる。緊急且つ確実に送信状態を確認したい場合、エラーレポートが出力されるまで時間がかかり、その間、操作者はファクシミリ装置から離れることができなくなる。このような不便さを解消するためにダイレクト送信を行うようにすると、送信先のファックス端末との接続は原稿の１ページ目の読み取りが始まることによって確認することができるが、全てのページが読み取られないと、その原稿を再使用することができないという問題がある。
【００１０】
特許文献２による方法は、電話端末に接続された場合の通知と送信動作の取り消しに関するものであるため、障害や相手先ファックス装置が使用中で送信できないときや、途中で回線が切断された場合は、前記したようにエラーレポートが出力されるまで、送信状態の判断は困難である。
【００１１】
本発明は、このような状況に鑑みなされたものであり、ファックス送信をダイレクト送信で開始することにより、接続と送信開始が確認された後に、メモリ送信に切替えるように動作するファクシミリ装置を提供することを目的とするものである。
【００１２】
【課題を解決するための手段】
上記目的を達成するために、本発明では、原稿を読み取ってそのまま送信する第１の送信機能と、原稿を読み取って、その画像データを一旦画像データ蓄積手段に記憶してから送信する第２の送信機能とを備えたファクシミリ装置において、複数のページ枚数からなる原稿を送信するときに、最初に原稿を第１の送信機能を使用して送信し、途中で第２の送信機能に切り替える構成である。
【００１３】
また、第２の送信機能に切り替えるタイミングは、任意に設定可能なタイミングである。
【００１４】
さらに、第２の送信機能に切り替えるタイミングは、原稿の２枚目のページの送信開始時である。
【００１５】
前記の任意に設定可能なタイミングは、送信中の操作者による所定の操作によって決定され、該送信中であって、決定より後にページの始めから読み取られる原稿から第２の送信機能に切り替わるものである。
【００１６】
【発明の実施の形態】
以下、本発明の詳細を添付図面に基づいて説明する。図１は、本発明の実施形態を説明するためのファクシミリ装置の例を示し、ユーザによる操作に係わる主要部を示す概略図である。
【００１７】
ファクシミリ装置１は、複数のページからなる原稿を読み取るために原稿のページを１枚ずつ自動的に給送する原稿自動送り装置２と、給送されたページを読み取って画像データに変換するスキャナ３と、操作にかかわる入力や表示が行われる操作部４と、用紙に画像を印字する印字部５と、ファクシミリ装置１の全体の制御をつかさどる制御部６とによって概略構成されている。
【００１８】
原稿自動送り装置２は、原稿のページが積層されて収納される原稿送り台７と、読み取られたページが排出収納される原稿排出部８を備えている。操作部４は、操作のための表示や通知がなされる表示部９と操作入力のための複数のキーなどを有する操作入力部１０を備えている。印字部５は、被印字媒体である用紙を収納して給紙する給紙部１１と、図示しない画像形成部と定着部などから構成される。
【００１９】
次に、図２に基づき、ファクシミリ装置１の電気的な構成について概略説明する。図２は、ファクシミリ装置１の主要回路のブロック図である。ファクシミリ装置１は、ＣＰＵ２１とＲＯＭ２２とＲＡＭ２３とを有する主制御回路２０と、ダイレクト送信時及びメモリ送信時に送信データの送信バッファメモリとしての機能を果たすフレームメモリ２４と、メモリ送信時に原稿の画像を読み取り画像データとして蓄積する画像メモリ２５と、該画像データが画像メモリ２５に読み込まれ、読み出される場合にそれぞれ圧縮や伸張を行い、また、フレームメモリ２４に送信データが送り込まれる場合に符号化を行い、受信時に受信したデータの復号化を行うＣＯＤＥＣ装置２６と、フレームメモリ２４に読み込まれた送信データを可聴信号に変換し、受信時に可聴信号を受信データに変換するモデム２７と、通信の制御を行うＮＣＵ２８とからなっている。
【００２０】
さらに、ファクシミリ装置１は、図１で示した原稿自動送り装置２のインターフェース回路として動作する原稿自動送り装置Ｉ／Ｆ２ａと、スキャナ３のインターフェース回路であるスキャナＩ／Ｆ３ａと、操作部４と、印字部５とが他の上記の回路などに電気的に接続されている。
【００２１】
次に、本発明の送信時の制御を理解しやすくするために、図３を参照してダイレクト送信とメモリ送信における、データの概略フローを説明する。図３は、送信時におけるデータの流れを示す図であり、（ａ）はダイレクト送信時、（ｂ）はメモリ送信時のデータの流れを示している。
【００２２】
図３（ａ）で示すダイレクト送信では、例えば１０ページからなる原稿が原稿自動送り装置２の原稿送り台７に置かれ、操作者が操作部４を介して送信先を入力して不図示の送信ボタンを押すと、送信先への接続が行われて接続が確認されると、原稿の最初のページが原稿自動送り装置２からスキャナ３に送られて、スキャナ３により読み取りが開始する（以上、図１参照）。
【００２３】
スキャナ３によって読み取られた画像は、順次ＣＯＤＥＣ装置２６に送信データとして送られて、ファクシミリ送受信に関して規格化されているＭＨ、ＭＲ、或いはＭＭＲなどの圧縮規格によって符号化される。符号化された送信データによってフレームメモリ２４が満たされると、その送信データはモデム２７とＮＣＵ２８を介して送信先に送信される。さらに次の読み取り画像が送信データとしてＣＯＤＥＣ装置２６に送られて、同じ手順で送信される。この繰り返しが原稿の１〜１０ページに対して行われることになる。このとき、フレームメモリ２４は小容量であるため、送信の速度とほぼ同じ速度で原稿の読み取りが行われる。
【００２４】
また、図３（ｂ）で示すメモリ送信では、例えば１０ページからなる原稿が原稿自動送り装置２の原稿送り台７に置かれ、操作者が操作部４を介して送信先を入力して不図示の送信ボタンを押すと、原稿の最初のページが原稿自動送り装置２からスキャナ３に送られて、スキャナ３により読み取りが開始する（以上、図１参照）。
【００２５】
スキャナ３によって読み取られた画像は、順次ＣＯＤＥＣ装置２６に送られて、圧縮効率のよい圧縮方法によって圧縮されて、順次画像メモリ２５に蓄積されていく。このようにして原稿の１〜１０ページが順次原稿自動送り装置２からスキャナ３に給送されて読み取られ、その画像データが画像メモリ２５に蓄積される。全てのページが画像メモリ２５に蓄積されてから、或いは、所定の量が蓄積されてから、送信先への接続が行われて接続が確認されると、画像メモリ２５から画像データが取り出されてＣＯＤＥＣ装置２６によって伸張された後、さらにＣＯＤＥＣ装置２６によってＭＨ、ＭＲ、或いはＭＭＲなどの圧縮規格によって符号化される。その後、送信データとして順次フレームメモリ２４に送られて、モデム２７とＮＣＵ２８を介して送信される。原稿の１〜１０ページの画像データが画像メモリ２５から全て送信されるまで、上記のようにして、画像メモリ２５からフレームメモリ２４へ送信データが送られることが繰り返される。
【００２６】
次に、図４に基づいて本発明の実施形態を具体的に説明する。図４は、本発明に係わるファクシミリ装置の送信時の動作を示すフローチャートである。例えば、１０ページからなる原稿の画像を本実施形態のファクシミリ装置１で送信先に送る場合、Ｓ１（ステップ１）で原稿１０ページを原稿自動送り装置２にセットする。Ｓ２で、操作部４を介してワンタッチボタンに登録されている送信先を選択したり、或いはその端末番号を直接入力して、Ｓ３で、送信ボタンを押す。
【００２７】
すると、Ｓ４でダイヤルが開始されて発呼の状態となる。Ｓ５で、送信先が回線を使用中或いは回線に障害があるなどで、送信先に接続できない場合は、Ｓ５ａに分岐し、所定の再試行回数に達したかどうかの判断が行われ、達していない場合は、Ｓ５ｃのタイマーを介して所定の時間待った後、Ｓ４に戻り再ダイヤルを行って接続の再試行が行われる。Ｓ５ａで、所定の試行回数に達した場合は、Ｓ５ｂに分岐して、エラーレポートが出力され、その送信ジョブは終了する。
【００２８】
Ｓ５で、送信先に接続されて送信先がファクシミリ装置であると確認されると、Ｓ６で、Ｓ１でセットされている原稿のページ１がスキャナ３に給送されて、スキャナ３によって画像の読み取りが開始される。Ｓ７で、ページ１の読み取りが完了したか否かのチェックが行われ、まだ読み取り中の場合は、Ｓ８で、読み取った画像のデータの符号化がＣＯＤＥＣ装置２６によって行われ、Ｓ９で、符号化された送信データとしてフレームメモリ２４に書き込まれる。Ｓ１０で、フレームメモリ２４が一杯になると、その分の送信データが送信され、ページ１の残りの部分の読み取りのためにＳ６に戻る。このようにして、Ｓ６〜Ｓ１０で原稿のページ１を読み取りながら順次送信を行うダイレクト送信が行われることになる。
【００２９】
Ｓ７で、ページ１の読み取りが終了したと判断されると、Ｓ１１に移行する。実際には、ページ１の読み取りが終了してから、ページ１の最後の送信データがフレームメモリ２４から送信されてページ１の送信が終了するため、Ｓ７で、ページ１の読み取りが終了したと判断されても、そのページの送信は完了していないが、スキャナ３は次のページの読み取りが可能であるため、Ｓ１１で、ページ２〜１０の画像の読み取りを開始し、読み取られた画像データはＣＯＤＥＣ装置２６で圧縮されて画像メモリ２５に順次蓄積されていく。Ｓ１１とＳ１２のページ２〜１０の読み取りとその画像データの圧縮と蓄積のステップは、主制御回路２０と画像メモリ２５（図２参照）がデュアルアクセス（メモリ装置の入出力を同時に行いながら２つの動作を同時に制御する）を行うことができるので、後述する送信動作が開始しても、最後のページであるページ１０の読み取りが終了するまで継続して行われる。
【００３０】
このようにして、Ｓ１１で、ページ２〜１０の読み取りが一旦開始されると、最後のページの読み取りと画像メモリ２５への画像データの蓄積が完了するまで、原稿の読み取りは継続するように制御されるため、ページ１の送信が完了次第、ページ２以降の送信を、画像メモリ２５を介して画像データを送信するメモリ送信動作で行わせることが可能になる。
【００３１】
そのため、Ｓ１３で、ページ１の送信（ダイレクト送信）が完了したか否かのチェックが行われる。完了していない場合は、ページ１の送信を継続しながら、メモリ送信に移行せず、引き続きページ２以降の原稿の読み取りが行われる。Ｓ１３で、ページ１の送信が完了したと判断されると、Ｓ１４で、ページ２以降の画像データを画像メモリ２５から読み出してメモリ送信を行う。この場合、ページ２の画像がまだ部分的にしか画像メモリ２５に蓄積されていなくても、上記したデュアルアクセス制御によって、読み取り済みの画像データをフレームメモリ２４に送出し、Ｓ１５でフレームメモリ２４内のデータを送信する。この場合、原稿の読み取り速度のほうが送信速度よりも速いので、ページ２の残りの画像とページ３以降の画像は順次画像メモリ２５に蓄積されていく。こうして、Ｓ１４〜Ｓ１６で、フレームメモリ２４の容量単位で画像データの送信を行い、Ｓ１６でページ１０の送信が完了するまで繰り返すことになる。
【００３２】
また、自動原稿送り装置が装備されていないファクシミリ装置や、図１に基づき説明したファクシミリ装置１において、自動原稿送り装置２を使用せずに、原稿を読み取らせて送信することも可能である。その場合は、スキャナ３上に操作者が原稿を１枚ずつ置くことによって可能になる。そのようなファクシミリ装置では、手動で原稿のページを入れ替える作業が発生するために、すべてのページを読み取る時間は、自動原稿送り装置２を使用する場合に比べて多少長くなるものの、ダイレクト送信行う場合やメモリ送信行う場合のそれぞれの長所と問題は基本的に前述したとおりである。
【００３３】
次に、図５に基づいて自動原稿送り装置を使用しないで送信する場合の本発明の実施形態を具体的に説明する。図５は、本発明に係わるファクシミリ装置で自動原稿送り装置を使用しないで送信する場合の動作を示すフローチャートである。例えば、１０ページからなる原稿の画像を本実施形態のファクシミリ装置１で送信先に送る場合、Ｓ２１（ステップ２１）でページ１をスキャナ３上に直接セットする。Ｓ２２で、操作部４を介してワンタッチボタンに登録されている送信先を選択したり、或いはその端末番号を直接入力して、Ｓ２３で、送信ボタンを押す。
【００３４】
すると、Ｓ２４でダイヤルが開始されて発呼の状態となる。Ｓ２５で、送信先が回線を使用中或いは回線に障害があるなどで、送信先に接続できない場合は、Ｓ２５ａに分岐し、所定の再試行回数に達したかどうかの判断が行われ、達していない場合は、Ｓ２５ｃのタイマーを介して所定の時間待った後、Ｓ２４に戻り再ダイヤルを行って接続の再試行が行われる。Ｓ２５ａで、所定の試行回数に達した場合は、Ｓ２５ｂに分岐して、エラーレポートが出力され、その送信ジョブは終了する。
【００３５】
Ｓ２５で、送信先に接続されて送信先がファクシミリ装置であると確認されると、Ｓ２６で、Ｓ２１でスキャナ３上にセットされているページ１の読み取りが開始される。Ｓ２７で、ページ１の読み取りが終了したか否かのチェックが行われ、まだ読み取り中の場合は、Ｓ２８で、ＣＯＤＥＣ装置２６が読み取った画像のデータの符号化を行い、Ｓ２９で、符号化された送信データとしてフレームメモリ２４に書き込まれる。Ｓ３０で、フレームメモリ２４が一杯になると、その分の送信データが送信され、ページ１の残りの部分の読み取りのためにＳ２６に戻る。このようにして、Ｓ２６〜Ｓ３０で原稿のページ１を読み取りながら順次送信を行うダイレクト送信が行われることになる。
【００３６】
Ｓ２７で、ページ１の読み取りが全て終了したと判断されると、Ｓ３１ａに移行する。実際には、ページ１の読み取りが終了してから、ページ１の最後の送信データがフレームメモリ２４から送信されてページ１の送信が終了するため、Ｓ２７で、ページ１の読み取りが終了したと判断されても、そのページの送信は完了していないが、スキャナ３は次のページの読み取りが可能であるため、Ｓ３１ａで次のページの有無の確認が行われる。次のページが有ると操作者が入力すると、次のページの読み取りを開始し、読み取られた画像データはＣＯＤＥＣ装置２６で圧縮されて画像メモリ２５に順次蓄積されていく。Ｓ３１ａ〜Ｓ３２のページ２〜１０の読み取りとその画像データの圧縮と蓄積のステップは、主制御回路２０と画像メモリ２５（図２参照）がデュアルアクセス（メモリ装置の入出力を同時に行いながら２つの動作を同時に制御する）を行うことができるので、後述する送信動作が開始しても、最後のページであるページ１０の読み取りが終了するまで継続して行われる。
【００３７】
このようにして、Ｓ３１ａ〜Ｓ３２で、ページ２〜１０の読み取りが一旦開始されると、Ｓ３１ａで最後のページであると判断され、その読み取りと画像メモリ２５への画像データの蓄積が完了するまで、ページの手動による入れ替えと、スキャナ３による読み取りは継続するように制御されるため、ページ１の送信が完了次第、ページ２以降の送信を、画像メモリ２５を介して画像データを送信するメモリ送信動作によって行わせることが可能になる。
【００３８】
そのため、Ｓ３３で、ページ１の送信（ダイレクト送信）が完了したか否かのチェックが行われる。完了していない場合は、ページ１の送信を継続しながら、メモリ送信に移行せず、引き続きページ２以降の原稿の読み取りが行われる。Ｓ３３で、ページ１の送信が完了したと判断されると、Ｓ３４で、ページ２以降の画像データを画像メモリ２５から読み出してメモリ送信を行う。この場合、ページ２の画像がまだ部分的にしか画像メモリ２５に蓄積されていなくても、上記したデュアルアクセス制御によって、読み取り済みの画像データをフレームメモリ２４に送出し、Ｓ３５でフレームメモリ２４内のデータを送信する。この場合、原稿の読み取り速度のほうが送信速度よりも速いので、ページ２の残りの画像とページ３以降の画像は順次画像メモリ２５に蓄積されていく。こうして、Ｓ３４〜Ｓ３６で、フレームメモリ２４の容量単位で画像データの送信を行い、Ｓ３６でページ１０の送信が完了するまで繰り返されることになる。
【００３９】
以上説明したように、本発明では、複数のページからなる原稿を送信する場合、最初のページをダイレクト送信で送るように制御し、最初のページの画像のスキャナによる読み取りが終了すると、それ以降のページの画像を読み取って、画像メモリ２５に蓄積しながら、最初のページの送信が完了するタイミングをチェックする。最初のページの送信が完了次第、既に画像メモリ２５に蓄積されているページ２以降の画像データをメモリ送信で送信する。
【００４０】
図４と図５を参照して行った上記の説明中、説明を複雑にしないように画像メモリ２５への入力前に行う画像データの圧縮、出力後に行う画像データの伸張、フレームメモリ２４への入力前に行う符号化に関しては説明を省略している部分もあるが、これらの圧縮、伸張、符号化は図３を参照して行った説明に基づくものとする。
【００４１】
また、図４や図５とそれに基づく説明では、１０ページからなる原稿を例に挙げたが、本発明はこの原稿の枚数に限定されるものではない。さらに、最初のページをダイレクト送信で、ページ２以降をメモリ送信で送ることを説明したが、従来技術の課題の解決として、ダイレクト送信による時間を長く取って通信状態を更に充分確認したい場合は、少なくとも最初のページを含む任意のページまでをダイレクト送信で送り、その次のページからメモリ送信で送るように制御することも可能である。
【００４２】
また、操作部４からダイレクト送信とメモリ送信が切り替わるページを操作者が設定、変更できるようにすると更によい。或いは、ダイレクト送信で送信を開始しながら、通信状態が確認できた時点で操作部４などに準備された図示しない送信モード切替えボタンを操作者が押すことにより、読み取り中の原稿の次に読み取るページからメモリ送信を行わせるようすると、操作者のそのときの都合で、適切な通信状態の確認と、原稿を再使用できるタイミングを任意に変えることが可能になる。
【００４３】
さらに、図５を参照して説明したように、自動原稿送り装置２を使用せず、操作者がスキャナ３上に原稿のページを１枚ずつセットして送信する場合、Ｓ３１ａで次のページの有無の確認が行われる時に、「無」と入力したあとに送信が開始されるページからメモリ送信に切り替えるようにすることも可能である。そのようにすれば、原稿のページをスキャナ３上に順次セットしているときは、いずれにしても操作者はファクシミリ装置から離れることはできないため、その期間はファクシミリ装置を操作しながらダイレクト送信による送信状態を確認することが可能になる。
【００４４】
【発明の効果】
本発明によると、ファックスの送信をダイレクト送信で開始するため、実際に送信が正しく開始されたか否かを、操作者が表示部での表示、或いは原稿の動きで容易に視認でき、送信に問題がある場合は、遅いタイミングで出力されるエラーレポートを待つまでもなく、再送信などの操作を早いタイミングで行うことが可能になる。
【００４５】
また、送信先として間違って電話端末番号を入力した場合も、同様に原稿の動きなどで送信が開始されないことを早いタイミングで視認できるので、その送信ジョブを即座にキャンセルし送信先を再入力できる。従って、間違った送信先に対して、通常自動的に行われる送信の再試行が行われることがなく、間違った送信先に何度も着呼することがなくなり、ファクシミリ装置独特の不快な交信音で電話端末の相手に迷惑をかけることも低減する。
【００４６】
さらに、送信が正常に開始されると、それ以降の読み取りページからメモリ送信の動作を行わせる。そのため、上記のような効果とともに、原稿の読み取りが高速で行われるので、早いタイミングで操作者がファクシミリ装置を離れて原稿の再使用を行うことも可能になる。
【００４７】
また、本発明によれば、上記のようなダイレクト送信とメモリ送信の切り替えのタイミングを、操作者が任意に設定或いは変更できるため、送信開始と送信状態を確認する時間を、送信の緊急性や重要性に応じて決定して変更することも可能になる。
【図面の簡単な説明】
【図１】本発明の実施形態を説明するためのファクシミリ装置の例を示し、ユーザによる操作に係わる主要部を示す概略図である。
【図２】ファクシミリ装置１の主要回路のブロック図である。
【図３】送信時におけるデータの流れを示す図であり、（ａ）はダイレクト送信時、（ｂ）はメモリ送信時のデータの流れを示す。
【図４】本発明に係わるファクシミリ装置の送信時の動作を示すフローチャートである。
【図５】本発明に係わるファクシミリ装置で自動原稿送り装置を使用しないで送信する場合の動作を示すフローチャートである。
【符号の説明】
１    ファクシミリ装置
２    原稿自動送り装置
２ａ  原稿自動送り装置Ｉ／Ｆ
３    スキャナ
３ａ  スキャナＩ／Ｆ
４    操作部
５    印字部
６    制御部
７    原稿送り台
８    原稿排出部
９    表示部
１０  操作入力部
１１  給紙部
２０  主制御回路
２１  ＣＰＵ
２２  ＲＯＭ
２３  ＲＡＭ
２４  フレームメモリ
２５  画像メモリ
２６  ＣＯＤＥＣ
２７  モデム
２８  ＮＣＵ
【図１】
2004289552.tif 000003
【図２】
2004289552.tif 000004
【図３】
2004289552.tif 000005
【図４】
2004289552.tif 000006
【図５】
2004289552.tif 000007